(57)【要約】      （修正有）【課題】伝統的な新鮮さのない設計を突破し、リモートコントローラーの使用上の楽しさを増す。【解決手段】ケース１、装飾物２、キーセット３及び基板４で構成されている。キーセット３及び基板４は使用者が制御信号を出力して電気製品を制御するのに供される。また装飾物２はリモートコントローラーに液体動態装飾及び装飾の効果を与える。ケース１は上、下半部１１、１２で構成されている。上、下半部１１、１２の一端に組付けエリア１１１、１２１が設けられ、装飾物２を組付ける。この装飾物２は透明ケース２１で構成されてその内部に少なくとも一種類或いは二種類の相互に溶解しない液体２２と、浮遊物２３が封入され、  浮遊物２３が透明ケース２１内部を浮遊する状態を観賞できる。【選択図】図１
0003106708.tif 000002
【実用新案登録請求の範囲】
【請求項１】
ケース、装飾物、基板、キーセットを具え、
該ケースは上、下半部で構成され、該上、下半部の一端に組付けエリアが設けられ、上半部、下半部のいずれか一方の前端にウインドウがあり、
該装飾物は上、下半部の組付けエリアに組付けられ、
該基板は該上、下半部の間に組付けられ、
該キーセットは上、下半部の間に組付けられ並びに基板上に位置し、以上の構造により遠隔制御と動態装飾効果を具えたことを特徴とする、液体装飾付リモートコントローラー。
【請求項２】
請求項１記載の液体装飾付リモートコントローラーにおいて、上半部に複数の貫通孔が設けられたことを特徴とする、液体装飾付リモートコントローラー。
【請求項３】
請求項１記載の液体装飾付リモートコントローラーにおいて、下半部に組付けエリアに隣接する収容空間が設けられたことを特徴とする、液体装飾付リモートコントローラー。
【請求項４】
請求項３記載の液体装飾付リモートコントローラーにおいて、収容空間に複数の組付け部が設けられたことを特徴とする、液体装飾付リモートコントローラー。
【請求項５】
請求項４記載の液体装飾付リモートコントローラーにおいて、組付け部が固定手段の通過による上半部との接合に供されることを特徴とする、液体装飾付リモートコントローラー。
【請求項６】
請求項３記載の液体装飾付リモートコントローラーにおいて、収容空間内に凸部が設けられ、該凸部にカバーが配置されたことを特徴とする、液体装飾付リモートコントローラー。
【請求項７】
請求項１記載の液体装飾付リモートコントローラーにおいて、装飾物が透明ケースで構成され、その内部に液体及び浮遊物が封入されたことを特徴とする、液体装飾付リモートコントローラー。
【請求項８】
請求項１記載の液体装飾付リモートコントローラーにおいて、液体が単一種類とされたことを特徴とする、液体装飾付リモートコントローラー。
【請求項９】
請求項７記載の液体装飾付リモートコントローラーにおいて、液体が二種類以上の相互に溶解しない液体とされたことを特徴とする、液体装飾付リモートコントローラー。
【請求項１０】
請求項１記載の液体装飾付リモートコントローラーにおいて、キーセットが導電ゴムで形成され、それは底部を具え、該底部に、貫通孔中に配置され並びに貫通孔より上半部外部に露出する複数のキーが設けられたことを特徴とする、液体装飾付リモートコントローラー。
【考案の詳細な説明】
【技術分野】
【０００１】
本考案は一種の液体装飾付リモートコントローラーに係り、特に一種の液体動態装飾及び装飾の効果を具えたリモートコントローラーに関する。
【背景技術】
【０００２】
周知のとおり、伝統的に電気製品、例えばテレビジョンやＡＶシステムの操作は電気製品の操作パネル上のキーを押して電気製品の各種の機能制御を行なう。このような操作形式は使用者が電気製品の前まで赴かねば電気製品のキー操作が行なえない。このため行動に不自由のある人は操作できない。
【０００３】
このため業者は電気製品の全ての操作キーと基板を一つのケース内に整合させて現在のリモートコントローラーを形成した。このリモートコントローラーの有効範囲内であれば使用者は電気製品の前に赴かずとも電気製品を遠隔制御でき、これにより電気製品パネル上のキーの設置を省略して、電気製品のパネルを簡易化できる。
【０００４】
リモートコントローラーは使用者が各種電気製品を遠隔操作することを可能とするが、伝統的なリモートコントローラーにはキーグループのほかの設計は設けられておらず、全体のリモートコントローラーの設計上、新鮮さがない。
【考案の開示】
【考案が解決しようとする課題】
【０００５】
本考案は、上述の欠点を解決し、欠点の存在を無くすために提供され、即ち、本考案の主要な目的はリモートコントローラーに液体動態装飾及び装飾効果のある装飾物を増設することにより、伝統的な新鮮さのない設計を突破し、リモートコントローラーの使用上の楽しさを増すことにある。
【課題を解決するための手段】
【０００６】
請求項１の考案は、ケース、装飾物、基板、キーセットを具え、
該ケースは上、下半部で構成され、該上、下半部の一端に組付けエリアが設けられ、上半部、下半部のいずれか一方の前端にウインドウがあり、
該装飾物は上、下半部の組付けエリアに組付けられ、
該基板は該上、下半部の間に組付けられ、
該キーセットは上、下半部の間に組付けられ並びに基板上に位置し、以上の構造により遠隔制御と動態装飾効果を具えたことを特徴とする、液体装飾付リモートコントローラーとしている。
請求項２の考案は、請求項１記載の液体装飾付リモートコントローラーにおいて、上半部に複数の貫通孔が設けられたことを特徴とする、液体装飾付リモートコントローラーとしている。
請求項３の考案は、請求項１記載の液体装飾付リモートコントローラーにおいて、下半部に組付けエリアに隣接する収容空間が設けられたことを特徴とする、液体装飾付リモートコントローラーとしている。
請求項４の考案は、請求項３記載の液体装飾付リモートコントローラーにおいて、収容空間に複数の組付け部が設けられたことを特徴とする、液体装飾付リモートコントローラーとしている。
請求項５の考案は、請求項４記載の液体装飾付リモートコントローラーにおいて、組付け部が固定手段の通過による上半部との接合に供されることを特徴とする、液体装飾付リモートコントローラーとしている。
請求項６の考案は、請求項３記載の液体装飾付リモートコントローラーにおいて、収容空間内に凸部が設けられ、該凸部にカバーが配置されたことを特徴とする、液体装飾付リモートコントローラーとしている。
請求項７の考案は、請求項１記載の液体装飾付リモートコントローラーにおいて、装飾物が透明ケースで構成され、その内部に液体及び浮遊物が封入されたことを特徴とする、液体装飾付リモートコントローラーとしている。
請求項８の考案は、請求項１記載の液体装飾付リモートコントローラーにおいて、液体が単一種類とされたことを特徴とする、液体装飾付リモートコントローラーとしている。
請求項９の考案は、請求項７記載の液体装飾付リモートコントローラーにおいて、液体が二種類以上の相互に溶解しない液体とされたことを特徴とする、液体装飾付リモートコントローラーとしている。
請求項１０の考案は、請求項１記載の液体装飾付リモートコントローラーにおいて、キーセットが導電ゴムで形成され、それは底部を具え、該底部に、貫通孔中に配置され並びに貫通孔より上半部外部に露出する複数のキーが設けられたことを特徴とする、液体装飾付リモートコントローラーとしている。
【考案の効果】
【０００７】
本考案の液体装飾付リモートコントローラーは、ケース、装飾物、キーセット、基板で構成され、キーセット及び基板が使用者が制御信号を出力して、電気製品を制御するのに供され、装飾物がリモートコントローラーに液体動態装飾及び装飾の効果を与えるものとされている。
【考案を実施するための最良の形態】
【０００８】
本考案の液体装飾付リモートコントローラーは、ケース、装飾物、基板、キーセットを具え、該ケースは上、下半部で構成され、上、下半部の一端に組付けエリアが設けられ、いずれか一方の組付けエリア前端にウインドウが設けられ、該装飾物は上、下半部の組付けエリアに組付けられ、該基板は上、下半部の間に組付けられ、該キーセットは上、下半部の間に組付けられ、並びに基板上に位置し、以上の構造により遠隔制御と動態装飾効果を具えたリモートコントローラーとされている。
【実施例１】
【０００９】
図１、２は本考案の液体装飾付リモートコントローラーの分解図及び外観立体図である。図示されるように、本考案の液体装飾付リモートコントローラーは、ケース１、装飾物２、キーセット３及び基板４で構成されている。該キーセット３及び基板４は使用者が制御信号を出力して電気製品を制御するのに供される。また装飾物２はリモートコントローラーに液体動態装飾及び装飾の効果を与える。
【００１０】
上述のケース１は上、下半部１１、１２で構成されている。該上、下半部１１、１２の一端に組付けエリア１１１、１２１が設けられ、該組付けエリア１１１、１２１が装飾物２を露出、展示するのに供される。また、下半部１２の組付けエリア１２１前端にウインドウ１２２が設けられ、このウインドウ１２２は基板４の信号の出力に供される。前述の組付けエリア１２１に隣接する収容空間１２３内に複数の組付け部１２４が設けられて固定手段１２５を通して基板４と上半部１１を固定するのに供される。また、前述の収容空間１２３に凸部１２６が設けられ、この凸部１２６に電池１２７が収容され、更に凸部１２６にカバー１２８が組付けられて電池１２７の脱落が防止される。該上半部１１に複数の貫通孔１１２が設けられてキーセット３のキー３２の組付けに供される。
【００１１】
該装飾物２は上述の組付けエリア１１１、１２１に組付けられ、この装飾物２は透明ケース２１で構成されてその内部に少なくとも一種類或いは二種類の相互に溶解しない液体２２と、浮遊物２３が封入され、液体２２と浮遊物２３が透明ケース２１の内部に封入されて浮遊物２３が透明ケース２１内部を浮遊する状態を観賞できる。
【００１２】
該キーセット３は導電ゴムで製造され、それは底部３１を具え、該底部３１に、貫通孔１１２中に配置されて貫通孔１１２より上半部１１外部に露出する複数のキー３２が設けられている。
【００１３】
該基板４は上述の上、下半部１１、１２内に配置され並びに上述のキーセット３と対応するよう配置され、キーセット３のキー３２が押された後、基板４が制御信号を電気製品（図示せず）に出力して電気製品を制御し機能を実行させる。
【００１４】
図３、４は本考案の組合せ状態及び側面断面図である。図示されるように、組立時には、先ず装飾物２を下半部１２の組付けエリア１２１中に組合せ、更に基板４を下半部１２の収容空間１２３内に配置し、更に基板４の上にキーセット３を置き、更に上半部１１を下半部１２の上に組合せて装飾物２及びキーセット３のキー３２に上半部１１の組付けエリア１１１及び複数の貫通孔１１２を通過させ、更に固定手段１２５を組付け部１２４に通した後に上半部１１と固定して上、下半部１１、１２を一体に結合させる。
【００１５】
この時、電池１２７を凸部１２６内に取り付け、更にカバー１２８を凸部１２６の上に取り付け、電池１２７の脱落を防止し、このとき、使用者がキーセット３のキー３２を押して基板４を駆動して制御信号を出力させて、出力信号を電気信号に伝送して電気製品の各種機能を制御、操作することができる。
【００１６】
リモートコントローラーを手に持つ時、装飾物２内部の浮遊物２３が液体２２と共に漂流する状態を見る事ができ、動態装飾の効果が達成され、更にリモートコントローラーの使用上の楽しさが増す。即ちリモートコントローラー不使用時に、装飾物２がリモートコントローラーに動態装飾効果を具備するものとされる。
【００１７】
更に、装飾物２内部の浮遊物２３は動植物、キャラクターパターン、或いは商標パターンとされ得て、活動式広告の目的を形成しうる。
【００１８】
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００１９】
【図１】本考案の液体装飾付リモートコントローラーの分解図である。
【図２】本考案の液体装飾付リモートコントローラーの外観立体図である。
【図３】本考案の組合せ状態表示図である。
【図４】本考案の側面断面図である。
【符号の説明】
【００２０】
１  ケース                            １１  上半部
１２  下半部                          １１１、１２１  組付けエリア
１２２  ウインドウ                    １２３  収容空間
１２４  組付け部                      １２５  固定手段
１２６  凸部                          １２７  電池
１２８  カバー                        １１２  貫通孔
２  装飾物                            ２１  透明ケース
２２  液体                            ２３  浮遊物
３  キーセット                        ３１  底部
３２  キー                            ４  基板
【図１】
0003106708.tif 000003
【図２】
0003106708.tif 000004
【図３】
0003106708.tif 000005
【図４】
0003106708.tif 000006